(57)【要約】      （修正有）【課題】カタログとして使用した後もアルバムとして使用することができるアルバム式カタログオーダーギフトを提供する。さらには、汎用性ある商品情報のみを有する商品情報カードを多用途の編集目的に応じるカタログに適用して使用することができる。【解決手段】複数枚の台紙１６を有するアルバム本体２０と、編集方針に沿って前記台紙に配置される商品情報カードと、この商品情報カードを前記台紙に着脱可能に止めるとともに編集方針に沿う情報を含む商品関連情報を有する着脱可能なシールと、前記カードの商品を申込む書類とを組合せたことを特徴とするアルバム式カタログギフト１０。さらには、前記台紙から前記商品情報カードとシールとをとり除いて、この台紙に写真を止めるシールを付属したことを特徴とするアルバム式カタログオーダーギフト。【選択図】図１
0003130335.tif 000002
【実用新案登録請求の範囲】
【請求項１】
透明面を有する複数枚の収納体と、この収納体に挿脱可能に収納され台紙面をその透明面に位置する台紙とを有するアルバム本体と、カタログ編集目的に応じて前記台紙に配置される商品情報カードと、この商品情報カードを前記台紙面に着脱可能に止めるとともに商品関連情報を有するシールと、前記商品情報カードの商品を選択的にオーダーするための書類とを有することを特徴とするアルバム式カタログオーダーギフト。
【請求項２】
前記アルバム本体は、表表紙、背表紙、裏表紙を有することを特徴とする前記請求項１記載のアルバム式カタログオーダーギフト。
【請求項３】
前記収納体は、その上縁に台紙挿脱用の開口を有することを特徴とする前記請求項１または２記載のアルバム式カタログオーダーギフト。
【請求項４】
前記オーダーするための書類は郵送用葉書であることを特徴とする前記請求項１記載のアルバム式カタログオーダーギフト。
【請求項５】
前記シールは、前記商品情報カードにその一部を、残部を前記台紙に貼付することを特徴とする前記請求項１記載のアルバム式カタログオーダーギフト。
【請求項６】
前記シールは、透明材料で形成されることを特徴とする前記請求項１または５記載のアルバム式カタログオーダーギフト。
【請求項７】
さらに、前記台紙から前記商品情報カードとシールとをとり除いて、この台紙に別途の写真を止めるためのシールを付属したことを特徴とする前記請求項１記載のアルバム式カタログオーダーギフト。
【考案の詳細な説明】
【技術分野】
【０００１】
この考案は、ギフト、すなわち贈り物商品を贈られる受取人が受取ったカタログに掲載された複数の商品の中から所望の商品を選ぶことができる、いわゆるカタログギフト用のカタログとして好適なアルバム式カタログオーダーギフトに関する。
【背景技術】
【０００２】
例えば、出産祝いとして贈り物を贈呈する場合、贈呈人が自らのセンスで商品（ギフト）を選択すると、受取人側としてはせっかく贈呈されても不要に感じたり、気に入らないという場合がある。そのため、近年、ギフトを贈る贈呈人が商品を選ぶのではなく、ギフトを贈られる受取人がカタログに掲載された複数の商品の中から所望の商品を選ぶ、いわゆるカタログギフトが盛んに用いられるようになってきている。
【０００３】
カタログギフトとは、次のような仕組みになっている。すなわち、ギフト代行者は、複数の商品およびこれらの商品に対応する商品番号が記載されたカタログをそれぞれの予算や目的等に応じて複数用意している。また、このカタログには、商品番号を記載してギフト代行者に申込むための申込み葉書が添付されている。
【０００４】
贈呈人は、予算や目的に応じたカタログ内の商品を選択するだけでよい。このような状況下、受取人には、ギフト代行者から前記選択可能な商品が掲載されたカタログが配布される。受取人は、この配布されたカタログに掲載されている複数の商品の中から所望の商品を選択し、選択した商品に対応する商品番号を添付されている申込み葉書に記載し、この葉書をギフト代行者に郵送する。ギフト代行者は申込み葉書を受領すると、受取人が選択したギフトをこの受取人に送付する。これにより、受取人には、贈呈人から所望の商品が贈られることとなる。
【０００５】
このようなカタログギフト方式で使用されるカタログとしては、従来、複数の商品およびこれらの商品に対応する商品番号が記載された小冊子（例えば中綴じ本）からなるカタログや、複数の商品およびこれらの商品に対応する商品番号がそれぞれ記載されたカタログカードを小箱に収容してなるカタログ等が知られている。
【考案の開示】
【考案が解決しようとする課題】
【０００６】
しかしながら、この種カタログギフトは、紙に印刷されたカタログのみが贈られるため、贈呈人の気持ちやあたたかさが受取人に伝わりに難いという問題がある。しかも、カタログギフトで使用される従来のカタログは、受取人が商品を選択した時点で不要となり破棄されてしまうのが普通である。したがって、受取人は、商品を受け取ってからある程度の期間が経過すると、その商品はいつ誰から贈られた商品であったかを忘れてしまうことが多い。すなわち、例えば出産祝いとしてカタログギフトが用いられた場合、誰から贈られた物かを忘れてしまいやすい。
【０００７】
この考案は、上記のような問題を解決するためになされたものであり、カタログとして使用した後も受取人側でアルバムとして使用することができるアルバム式カタログオーダーギフトの提供を目的とする。
【０００８】
また、編集目的、例えば、出産祝い、入学祝い、誕生日祝い等に適した商品に特化して編集する目的に応じて選択されて台紙に配置される商品情報カードと、この商品情報カードを前記台紙に着脱可能に止めるとともに商品関連情報を有するシールとを組合せることによって、ギフト作成者としても、商品情報カードを汎用的に使用することができるために経済的であるアルバム式カタログオーダーギフトの提供を目的とする。
【課題を解決するための手段】
【０００９】
この考案の請求項１に係るアルバム式カタログオーダーギフトは、透明面を有する複数枚の収納体と、この収納体に挿脱可能に収納され台紙面をその透明面に位置する台紙とを有するアルバム本体と、カタログ編集目的に応じて前記台紙に配置される商品情報カードと、この商品情報カードを前記台紙面に着脱可能に止めるとともに商品関連情報を有するシールと、前記商品情報カードの商品を選択的にオーダーするための書類とを有するアルバム式カタログオーダーギフトである。
【００１０】
この考案のアルバム式カタログオーダーギフトによれば、カタログとして使用した後もアルバムとして再使用することができる。
【００１１】
また、前記アルバム本体は、表表紙、背表紙、裏表紙を有するアルバム式カタログオーダーギフトである。
【００１２】
さらに、前記収納体は、その上縁に台紙挿脱用の開口を有するアルバム式カタログオーダーギフトである。
【００１３】
また、前記オーダーするための書類は郵送用葉書であるアルバム式カタログオーダーギフトである。
【００１４】
さらに、前記シールは、前記商品情報カードにその一部を、残部を前記台紙に貼付するアルバム式カタログオーダーギフトである。
【００１５】
また、前記シールは、透明材料で形成されるアルバム式カタログオーダーギフトである。
【００１６】
さらにまた、前記台紙から前記商品情報カードとシールとをとり除いて、この台紙に別途の写真を止めるためのシールを付属したアルバム式カタログオーダーギフトである。
【００１７】
そして、前記商品情報カードは、台紙にシールによって着脱可能に止めることができるため、その編集作業は簡便であり、ギフト代行者等がカタログを作る際に商品情報カードを簡単に配置してセットすることができる。
【００１８】
また、表表紙、背表紙、裏表紙を有するためアルバムとして再使用し易い。
【００１９】
さらに、その上縁に台紙挿脱用の開口を有する収納体であるからカタログオーダーギフトのセットや、アルバムとしての再使用が容易である。
【００２０】
また、商品のオーダーを郵送用葉書でできるため簡便に利用できる。
【００２１】
さらに、前記シールは、前記商品情報カードにその一部を、残部を前記台紙に貼付するため、カード自体を台紙に止めないので、ギフトのセットや、アルバムとしての再使用が簡便である。
【００２２】
また、透明シールにより、商品情報カードの内容を隠蔽しないで済むものである。
【００２３】
前記商品情報カードは汎用性を有するために、共通のカードを多用途に使用することができ、経済的である。
【考案の効果】
【００２４】
この考案によれば、カタログギフトとして使用された後も、通常のアルバムとして使用することができるアルバム式カタログオーダーギフトが得られる。さらには、商品情報カードは、汎用性を有するために共通のカードを多用途に使用することができ、きわめて経済的である。
【考案を実施するための最良の形態】
【００２５】
以下、図１から図４を参照して、この考案を、出産祝い用のカタログギフトに適用した場合の実施形態について説明する。
【００２６】
図１に示すように、アルバム式カタログオーダーギフト１０は、表表紙１２、複数の透明収納体１４、この各収納体１４内に装填される台紙１６、裏表紙１８からなるアルバム本体２０を有する。このアルバム本体２０は、例えば略Ｂ６程度の寸法であり、この表表紙１２は、例えば、中芯となる表表紙用厚紙（図示せず）、および、裏表紙１８は、例えば、中芯となる裏表紙用厚紙（図示せず）を、紙、布、または皮等からなる外装部材で包むことにより形成されている。表表紙１２の表面には、図示していないが、このカタログギフトの編集目的を表して「ご出産祝い」等のタイトルが表記される。さらに、これに適切な言葉、絵柄等といった所望の情報を記載したり、文字、言葉、絵柄等を彫りこんだ金具等の飾り部材を取付けることも可能である。
【００２７】
また、裏表紙１８の表面には、例えば、贈った人の名前等、文字、言葉、絵柄等といった所望の情報を記載してもよい。
【００２８】
図１および図２から図４に明示されているように、表表紙１２および裏表紙１８の間には、その寸法とはやや小さい寸法であって、その上縁に開口１４Ａを有する複数枚の透明収納体１４が積層して挟持され、２本の綴じネジ２１によって綴じられている。
【００２９】
すなわち、各透明収納体１４は、通常の透明ファイルポケットのように透明材料によって四角い透明袋体で構成されるが、表裏両面が透明である必要はなく、少なくともその表面を透明面とし、その裏面は、単純な装飾面か、他のメッセージ等に使用することもできる。その袋体の一側に熱溶着部１４Ｓによって綴じしろ１４Ｅを形成し、綴じ穴１４Ｈを設けて、その複数枚を積層して積層体１４Ｂを形成する。この積層体１４Ｂには背表紙２２がその背を包むように配置されて、前記表表紙１２、裏表紙１８とともに、前記綴じネジ２１によって綴じられて、アルバム本体２０が構成される。
【００３０】
各透明収納体１４には台紙１６が１枚ずつ上縁開口１４Ａから挿入することによって、挿脱可能に装填されている。この台紙１６は、表裏両面ともに台紙として使用されるように、比較的に滑らかな貼付面を形成する。
【００３１】
この各台紙１６には、通常、表面上下、裏面上下に、以下に詳述するようにカード類がシールによって着脱可能に止められている。
【００３２】
すなわち、図１および図２に明示されるように、アルバム本体２０の１枚目の透明収納体１４に装填される台紙１６の表面、すなわち第１頁面には、その上半分に、このカタログギフトの編集目的であるタイトルを表示したタイトルカード２２Ｔが配置される。このカード２２Ｔには「お誕生  おめでとうございます」等の主題が表記されている。またその台紙１６の下半分には、後述する商品情報カードの商品に対応する商品番号、商品名等とともに届先の住所・氏名を記入して、この商品との引換えを申込むカード状の書面である申込み用葉書２２Ｐが配置される。
【００３３】
この申込み書面には、このカタログギフトの識別番号Ｎが付されており、申込み書面とカタログギフトとが一対一対応しており、ギフト代行者がそのギフトの包装箱やカタログギフトに記載したり、手元データに記録しておくことによって、ギフト申込者とそのカタログギフトとの関係を把握できるようになっている。
【００３４】
これらのカード２２Ｔおよび葉書２２Ｐは、その位置で台紙１６に対して、着脱可能に止められるシール２４によって着脱可能に止められている。
【００３５】
詳述すれば、各シール２４にはその裏面に通常の剥離可能な粘着性を有する粘着層が設けられており、カード２２Ｔおよび葉書２２Ｐにその一部を、そして台紙１６にその残部を貼着することによって、両者を着脱可能に止めることができる。
【００３６】
さらに、この台紙１６の裏側、すなわち第２頁目面には、図３に明示するように、その上下半分に、商品カタログをなすカードである商品情報カード２２Ｃが配置される。この商品情報カード２２Ｃは、ほぼ葉書の寸法を有しており、出産祝いの編集目的に応じて、主として、ベビー服やおもちゃ等の需要に応じた商品の写真が単独で、または必要に応じてモデルとともに掲載されている。
【００３７】
そして、これらの商品情報カード２２Ｃは、前記編集目的に応じて、例えば、数１０種が用意され、それぞれ図３に示されるように台紙１６に配置され、前記シール２４と同様に、その裏面に粘着層が設けられたシールである説明シール２６によって、それぞれ台紙１６に着脱可能に止められている。すなわち、シール２６は、商品情報カード２２Ｃにその一部を、そして台紙１６にその残部を貼着して、着脱可能に止められる。この説明シール２６は、編集目的に応じて選択された商品毎の商品番号と商品仕様、例えば、ベビー服であれば、商品名、素材、寸法、商品説明、製造国名等が、同様に、おもちゃであれば、商品名、適用生後月ないし年令、素材、製造国名、使用方法等が表記されて、この説明シールによって止められている商品情報カード２２Ｃの商品の内容を表記してある。この説明シール２６には、さらに必要に応じて、商品に関連して受取人に対するメッセージが記載される。
【００３８】
この図示された実施態様では、説明シール２６は、不透明なシール材料で形成されているが、これを透明材料で形成することによって、商品情報カード２２Ｃのシール相応部分もなんら隠蔽することなく台紙１６に止めることができる。
【００３９】
ここで商品情報カード２２Ｃは、台紙１６上を比較的に滑り易く移動できるので、配置作業は容易であり、定まった配置で、シールすなわち説明シール２６によって台紙１６に着脱可能に止められる。カード２２Ｃ自体を台紙１６に止めることなく、説明シール２６を介して止めることで、簡便性が実現できるものである。
【００４０】
このように表裏に必要な商品情報カード２２Ｃ等を止めた台紙１６は、上縁開口１４Ｈから透明収納体１４内に挿入されてその台紙１６の面を収納体１４の透明面に面して装填される。このような商品情報カード２２Ｃが、商品の取り揃え量に対応して選択されて、総計１０数枚から数１０枚分が各台紙１６に止められて、したがってそれに対応する枚数以上積層して用意されている透明収納体１４にそれぞれ挿脱可能に装填される。
【００４１】
各商品情報カード２２Ｃには、前述したとおり、その一面（掲載面）に、各商品の写真や絵が表され、さらにその商品に対応する商品番号がそれぞれ記載されている。もちろん、商品番号は必要に応じて、商品情報カードに掲載することなく、前述の説明シール２６に記載することも可能である。通常、掲載商品は１点毎であるが、特別の場合には複数の商品を１カードに掲載することも可能であり、その場合は必要に応じて各商品に近い位置に、対応する説明シールをそれぞれ止めるようにすることができる。
【００４２】
なお、透明収納体１４内の台紙１６には、商品情報カード２２Ｃだけでなく、例えば、贈呈人から受取人へのメッセージを記載したメッセージカード等をシールによって着脱可能に止めるようにしてもよい。
【００４３】
また、最終頁の商品情報カード２２Ｃが止められている台紙１６を収納した透明収納体１４以降の収納体の少なくとも１つには、図４に例示するように、前述したシール２４、説明シール２６に相当するような、粘着性を有するシールの一式、例えば、各種書込みシール３０、３０・・・が打抜かれて取外し容易になっているシール台紙２８が装填されている。これらの書込みシール３０、３０・・・は、例えば、育児記録アルバムに適切な、「年月日」「〇日」「〇ヶ月」「〇年〇ヶ月」等の記載や、任意の内容を書込むことができる記入欄を設けたものが適数シール形成されている。
【００４４】
なお、収納体の最終頁には、例えば、贈呈人から受取人へのメッセージを記載したメッセージカード等を収容するようにしてもよい。
【００４５】
以上のように、商品情報カードと申込み用葉書等のオーダー書類とが組合されて、カタログセット商品、すなわちアルバム式カタログオーダーギフトが構成される。
【００４６】
このように商品情報カード２２Ｃが装填されたアルバム式カタログオーダーギフト１は、贈呈人からの指示により、受取人に配布されることになる。受取人は、複数の商品情報カード２２Ｃに記載されたそれぞれの商品の中から所望の商品を選択して、その商品に対応する商品番号および商品名、その他の必要事項を記入して投函することによって、申込み手続を終了する。
【００４７】
ギフト代行業者は、この申込み用葉書の着信を得て、該当商品を配送することとなるが、贈呈者から照会があったときには、この申込み用葉書の情報、すなわち、申込まれた商品、申込み時期等に基づいて対応することができる。
【００４８】
次に、このギフトの受取者は、この申込み手続の終了後、または、その商品の受領後には、このギフトのアルバム本体を、例えば育児記録用の、通常のアルバムとして使用することができるものである。すなわち、受領者は、アルバム式ギフトに残された商品情報カード等不要なものをシール２４、２６とともに台紙１６から取外すことによって、通常の育児記録アルバムとして使用することができるものである。この商品情報カード等を台紙１６から取外すのは、シール２４、２６を台紙から引き剥がすことによるだけであり、きわめて容易に処理することができる。
【００４９】
受領者は、透明収納体１４内に付属している前記シール３０の一式から、例えば、書込みシールの「年月日」、「〇日」、「記入欄シール」を取外し、新生児の好みの誕生写真のいくつかを日を追って台紙１６に配置したうえで、適切なシールを用いて各写真を台紙に止めることができ、そのシールの記入欄に適切な記入を行うことによってアルバム作成を開始できる。
【００５０】
なお、このシール一式は、必ずしも透明収納体に納めて付属する必要はなく、単にアルバム本体２０の巻末に綴じ込んでおくだけでもよい。
【００５１】
前記台紙１６は、その表裏面ともに、比較的光沢のある円滑面を有するものを採用することによって、編集目的に応じて、商品情報カード２２Ｃを台紙１６に配置する作業における商品情報カード２２Ｃが台紙の上で滑りやすく、移動が容易であり、また粘着層を有するシール２６の粘着力は比較的に強固であるが、均一で剥がしやすい。この粘着層は、ポストイット（登録商標）のような固定と取り外しとがいずれも容易であるものを使用することができる。
【００５２】
以上の説明は、カタログギフトの編集目的として、出産祝いを想定した実施態様についてのものであったが、その他、入学祝い、誕生日祝い等にも適用可能であり、そのギフトの形状、色、印刷する言葉等に贈呈人のセンスを生かすことができるため、その気持ちやあたたかさが伝わり易い。したがって、その受取人が選択した商品だけでなく、アルバム本体もアルバムとして記念の品となるばかりでなく、通常のアルバムとして使用してもらうことができる。なお、商品情報カードＣが配置されていない空の台紙を装填した透明収納体を、アルバムとしての適数枚集積しておくことにより、アルバムとしての使用に好都合にすることができる。
【００５３】
また、この考案のギフトは例えば、代金の授受を規定しておけば、通信販売等のカタログギフトとしても利用することができる
なお、透明収納体１４は、必要に応じて、上下に２分したり、左右に２分して、それぞれに台紙を挿脱可能に装填するように構成することも可能である。
【００５４】
また、前記申込み手段は、申込み用葉書の場合について説明したが、これに限定されるものではなく、所望の商品に対応する商品番号および商品名を記載してオーダーすることができるものであればよく、封書の郵便等であってもよい。さらにこの申込み手段は、透明収納体に収納してセットする必要はなく、独立して巻頭または巻末、あるいは表表紙、裏表紙の内側に位置して設置しておくこともできる。
【図面の簡単な説明】
【００５５】
【図１】この考案の一実施形態を示すアルバム式カタログオーダーギフトの表表紙を開いた状態の斜視図
【図２】図１の実施態様におけるカタログの第１頁目を示す正面図。
【図３】図１の実施態様におけるカタログの第２頁目を示す正面図。
【図４】図１の実施態様におけるカタログの付属シールの付属頁を示す正面図。
【符号の説明】
【００５６】
１０…アルバム式カタログオーダーギフト、 １２…表表紙、  １４…透明収納体、  １４Ａ…上縁開口、  １４Ｓ…熱溶着部、  １４Ｅ…綴じしろ、  １４Ｈ…綴じ穴、  １６…台紙、 １８…裏表紙、  ２０…アルバム本体、  ２１…綴じネジ、  ２２Ｔ…タイトルカード、  ２２Ｐ…申込み葉書（申込み手段）、  ２２Ｃ…商品情報カード、  ２４…シール、 ２６…説明シール、  ２８…シール台紙、 ３０…各種シール、  Ｎ…識別番号
【図１】
0003130335.tif 000003
【図２】
0003130335.tif 000004
【図３】
0003130335.tif 000005
【図４】
0003130335.tif 000006